(57)【要約】【課題】より効率よく湿気や外気を拡散させることによって、住宅の結露や湿気を抑え、カビやダニの発生を抑えると共に、快適な住宅の温度・湿度環境の維持を可能とする木造家屋及びその木造家屋に用いる胴縁材を得る。【構成】木造家屋骨組の外表面に防風層５を付設し、この防風層５の外表面に所定間隔を置いて胴縁材１を付設し、この胴縁材１の外表面に外壁材６を付設した木造家屋において、前記胴縁材１の外壁材６に当接する表面若しくは防風層５に当接する裏面に、両側面に開口８，９が露出し地面から天井方向に向かって放射状に広がるように設定された通気凹部２を設ける。【選択図】  図１
2011084995.tif 000002
【特許請求の範囲】
【請求項１】
骨材で構成される木造家屋骨組の外表面に防風層を付設し、この防風層の外表面に複数の胴縁材を相互に間隔をおいて付設し、この複数の胴縁材の外表面に外壁材を付設した木造家屋用胴縁材において、前記胴縁材の外壁材に当接する表面及び防風層に当接する裏面の少なくとも一方に通気凹部を設け、前記通気凹部は胴縁材の短手方向両側面に開口を有し、前記両側面の開口は一方が他方よりも大なる開口面積を備えることを特徴とする木造家屋用胴縁材。
【請求項２】
通気凹部が小なる開口から大なる開口に向けて放射状に広がるように設定されたことを特徴とする請求項１記載の木造家屋用胴縁材。
【請求項３】
前記胴縁材の厚さが、小なる開口側において大とされ、大なる開口側において小とされる請求項１に記載の木造家屋用胴縁材。
【請求項４】
前記通気凹部が内部にいくに従い開口面積が小さくなりかつ通気凹部底部が平面部となるように設定されたことを特徴とする請求項１に記載の木造家屋用胴縁材。
【請求項５】
前記通気凹部の両開口の輪郭が円弧形状領域と直線形状領域によって形成されることを特徴とする請求項４に記載の木造家屋用胴縁材。
【請求項６】
骨材で構成される木造家屋骨組の外表面に防風層を付設し、この防風層の外表面に複数の胴縁材を間隔を設けて長手方向を水平方向に一致させて配設し、この胴縁材の外表面に外壁材を付設した木造家屋において、前記胴縁材の外壁材に当接する表面及び防風層に当接する裏面の少なくとも一方の面に、胴縁材の短手方向両側面に開口を有し、前記両側面の開口は天井方向側面の開口が地面方向側面の開口よりも大なる通気凹部を設けたことを特徴とする木造家屋。
【請求項７】
前記通気凹部が小なる開口から大なる開口に向けて放射状に広がるように設定されたことを特徴とする請求項６記載の木造家屋。
【請求項８】
前記胴縁材の厚さが、小なる開口側において大とされ、大なる開口側において小とされる請求項６記載の木造家屋用胴縁材。
【請求項９】
前記通気凹部が内部にいくに従い開口面積が小さくなりかつ底部が平面部となるように設定されたことを特徴とする請求項６に記載の木造家屋。
【請求項１０】
前記通気凹部の両開口の輪郭が円弧形状領域と直線形状領域によって形成される請求項９に記載の木造家屋。
【発明の詳細な説明】
【技術分野】
【０００１】
本発明は、木造家屋の通気性向上や住宅の寿命を縮める原因となる結露や湿気を抑制するための胴縁材に関するものである。
【背景技術】
【０００２】
特許文献１に開示された従来の木造家屋を図４（ａ）（ｂ）に示す。
この従来の木造家屋は、骨材３５で構成される木造家屋骨組の外表面に板状の断熱材３１を止着し、この断熱材３１の表面に角材３２（胴縁材３２と呼ばれる。）を止着し、この胴縁材３２の表面に板状の外壁材３３を止着する構造を有する。この図４（ａ）に示す木造家屋は、外壁材３３を垂直方向に配設した場合で、胴縁材３２は必然的に水平方向に配設される。図中符号３９は土台部である。
【０００３】
家屋内で生じた湿気は、断熱材３１を通過して断熱材３１と外壁材３３との空間３４に溜まるのが一般で、湿気は下方から上方へ移動していくものである。この空間３４からの湿気の排出が良好に行なわれないと、断熱材３１，外壁材３３が腐食し家屋の耐久性を低下させることになる。
【０００４】
この問題に関し、図４に示す特許文献１に開示された従来の木造家屋では、図４（ｂ）に示す様に胴縁材３２の外壁材３３に当接する表面若しくは断熱材３１に当接する裏面に、両側面に開口３６，３７が露出し内部にいくに従い開口面積が小さくなるように設定された通気凹部３８を設けるという対策が採用された。これによって、上下の胴縁材３２間の水平方向の空間３４は上側の胴縁材３２にさえぎられ、連通されていない為、湿気が上方へ導かれず、断熱材３１，外壁材３３が腐食するという問題の解決が図られた。
【先行技術文献】
【特許文献】
【０００５】
【特許文献１】特許２８４４４５７号公報
【発明の概要】
【発明が解決しようとする課題】
【０００６】
特許文献１に開示された従来の木造家屋及びこれに用いる胴縁材では両側面に開口３６，３７が露出した通気凹部３８を有して湿気が上方へ導かれはするものの、その効率は未だ十分ではなく、湿気を可及的に均一に拡散して上方へ導き、より効率よく湿気や外気を拡散させることによって、住宅の結露や湿気を抑え、カビやダニの発生を抑えると共に、快適な住宅の温度・湿度環境の維持を可能とする必要があった。
【０００７】
本発明はより効率よく湿気や外気を拡散させることによって、住宅の結露や湿気を抑え、カビやダニの発生を抑えると共に、快適な住宅の温度・湿度環境の維持を可能とする木造家屋及びその木造家屋に用いる胴縁材を得ることを目的とする。
【課題を解決するための手段】
【０００８】
本発明の木造家屋用胴縁材は、骨材で構成される木造家屋骨組の外表面に防風層（通気材若しくは断熱材）を付設し、この防風層の外表面に複数の胴縁材を相互に間隔をおいて付設し、この複数の胴縁材の外表面に外壁材を付設した木造家屋において、前記胴縁材の外壁材に当接する表面及び防風層に当接する裏面の少なくとも一方に通気凹部を設け、前記通気凹部は胴縁材の短手方向両側面に開口を有し、前記両側面の開口は一方が他方よりも大なる開口面積を備えることを特徴とする。
【０００９】
本発明の木造家屋は、骨材で構成される木造家屋骨組の外表面に防風層を付設し、この防風層の外表面に複数の胴縁材を間隔を設けて長手方向を水平方向に一致させて配設し、この胴縁材の外表面に外壁材を付設した木造家屋において、前記胴縁材の外壁材に当接する表面及び防風層に当接する裏面の少なくとも一方の面に、胴縁材の短手方向両側面に開口を有し、前記両側面の開口は天井方向側面の開口が地面方向側面の開口よりも大なる通気凹部を設けたことを特徴とする。
【００１０】
通気凹部が小なる開口から大なる開口に向けて放射状に広がるように設定してもよい。
【００１１】
前記胴縁材の厚さが、小なる開口側において大とされ、大なる開口側において小とされるようにすることができる。
【００１２】
通気凹部が内部にいくに従い開口面積が小さくなりかつ底部が平面部となるようにすることができる。
【００１３】
前記通気凹部の両開口の輪郭が円弧形状領域と直線形状領域によって形成されるようにすることができる。
【００１４】
［作用］
防風層（通気材若しくは断熱材）と外壁材との間に本発明に係る胴縁材を介存せしめると、防風層（通気材若しくは断熱材）と外壁材との間に形成される通気空間は、胴縁材の地面から天井方向に向かって放射状に広がるように設定された通気凹部により水平方向，垂直方向すべて連通されることになるから、防風層（通気材若しくは断熱材）を介して通気空間に導入される室内の湿気はすべて上方に効率よく均一に拡散し、従って、通気空間内に湿気が溜まることはない。
【発明の効果】
【００１５】
本発明によれば、より効率よく湿気や外気を拡散させることによって、住宅の結露や湿気を抑え、カビやダニの発生を抑えると共に、快適な住宅の温度・湿度環境の維持を可能とする木造家屋用胴縁材及びその木造家屋に用いる胴縁材を得ることができる。
【図面の簡単な説明】
【００１６】
【図１】本発明の一実施の形態の木造家屋の斜視図である。
【図２】（ａ）本発明の一実施の形態の胴縁材の断面図、（ｂ）本発明の一実施の形態の胴縁材の側面図、（ｃ）本発明の一実施の形態の胴縁材の他の側面図、（ｄ）本発明の一実施の形態の胴縁材の部分拡大側面図である。
【図３】（ａ）本発明の実施例の胴縁材を用いて実際に撮影した写真に基づき、流体の動きを描いた説明図、（ｂ）本発明の比較例の胴縁材を用いて実際に撮影した写真に基づき、流体の動きを描いた説明図である。
【図４】（ａ）従来の木造家屋の部分斜視図、（ｂ）従来の胴縁材の斜視図である。
【発明を実施するための形態】
【００１７】
添付図面を参照して本発明を実施するための形態を説明する。
図面は本発明を実施するための形態を示したもので、図１及び図２は胴縁材１を水平方向に配設し、胴縁材１には、角材の一面（内面）に通気凹部２を所定間隔をおいて設けた木造家屋３を示している。
【００１８】
木造家屋３は柱等の骨材４の外表面に防風層５を付設してなる。この防風層５は必要に応じて通気材若しくは断熱材として機能させることができる。
この防風層５の外表面に所定間隔を置いて胴縁材１を付設し、この胴縁材１の外表面に外壁材６を付設する。
【００１９】
以上の実施の形態の木造家屋３に用いられる本発明の木造家屋用胴縁材１は、骨材４で構成される木造家屋骨組の外表面に付設した防風層５とこの防風層５の外表面に付設される外壁材６との間に複数の胴縁材１を相互に間隔をおいて介存せしめてこの防風層５とこの外壁材６との間に通気空間７を形成せしめる木造家屋用胴縁材１である。
【００２０】
胴縁材１の外壁材６に当接する表面及び防風層５に当接する裏面の少なくとも一方の面に通気凹部２を設ける。この通気凹部２は胴縁材１の短手方向すなわち長手方向と直交する方向の両側面に開口８及び開口９を有する。この両側面の開口８，９は一方が他方よりも大なる開口面積を備える。
本発明の木造家屋３では、胴縁材１は長手方向を水平方向と一致させて配設し、かつ防風層５に当接する裏面に設けられた通気凹部２の両開口８，９のうち小なる開口９が地面側、大なる開口８が天井側となるように通気凹部２が地面から天井方向に向かって放射状に広がるように配置する。
すなわち本発明の木造家屋３は、両側面の開口８，９が天井方向側面の開口８が地面方向側面の開口９よりも大なる通気凹部２を形成した胴縁材１を長手方向を水平方向と一致させて配設してなる。
【００２１】
また胴縁材１の厚さは、開口８，９のうち小なる開口９側の厚さｔ２が、大なる開口８側の厚さｔ１よりも大となるようにされている。
【００２２】
本実施の形態では通気凹部２は内部にいくに従い開口面積が小さくなりかつ通気凹部２底部が平面部２ａとなるようにされている。
【００２３】
さらに通気凹部２の両開口８，９の輪郭は円弧状領域Ａと直線状領域Ｂによって形成されている。
【実施例１】
【００２４】
図３（ａ）は本発明の実施例の胴縁材１の通気凹部２に流体を通過させて撮影した写真に基づき、流体の流出状態を描いた説明図である。
また図３（ｂ）は従来の胴縁材１の通気凹部２に流体を通過させて撮影した写真に基づき、流体の流出状態を描いた説明図である。
図３（ａ）に示すように実施例の胴縁材１では、通気凹部２の両開口８，９のうち小なる開口から通気凹部２に流入し、大なる開口から流出した流体は、流出後均一に拡散する傾向がある。
これに対して、図３（ｂ）に示す比較例の胴縁材１では通気凹部２を通過した流体には特に拡散する傾向は認められない。
【符号の説明】
【００２５】
１・・・胴縁材，２・・・通気凹部，３・・・木造家屋，４・・・骨材，５・・・防風層，６・・・外壁材，７・・・通気空間，開口・・・８，９。
【図１】
2011084995.tif 000003
【図２】
2011084995.tif 000004
【図３】
2011084995.tif 000005
【図４】
2011084995.tif 000006
【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
骨材で構成される木造家屋骨組の外表面に防風層を付設し、この防風層の外表面に複数の胴縁材を相互に間隔をおいて付設し、この複数の胴縁材の外表面に外壁材を付設した木造家屋用胴縁材において、前記胴縁材の外壁材に当接する表面及び防風層に当接する裏面の少なくとも一方に通気凹部を設け、前記通気凹部は胴縁材の短手方向両側面に開口を有し、前記両側面の開口は一方が他方よりも大なる開口面積を備え、前記通気凹部が小なる開口から大なる開口に向けて放射状に広がるように設定されると共に前記胴縁材の厚さが、小なる開口側において大とされ、大なる開口側において小とされてなることを特徴とする木造家屋用胴縁材。
【請求項２】
前記通気凹部が内部にいくに従い開口面積が小さくなりかつ通気凹部底部が平面部となるように設定されたことを特徴とする請求項１に記載の木造家屋用胴縁材。
【請求項３】
前記通気凹部の両開口の輪郭が円弧形状領域と直線形状領域によって形成されることを特徴とする請求項２に記載の木造家屋用胴縁材。
【請求項４】
骨材で構成される木造家屋骨組の外表面に防風層を付設し、この防風層の外表面に複数の胴縁材を間隔を設けて長手方向を水平方向に一致させて配設し、この胴縁材の外表面に外壁材を付設した木造家屋において、前記胴縁材の外壁材に当接する表面及び防風層に当接する裏面の少なくとも一方の面に、胴縁材の短手方向両側面に開口を有し、前記両側面の開口は天井方向側面の開口が地面方向側面の開口よりも大なる通気凹部を設けてなり、前記通気凹部が小なる開口から大なる開口に向けて放射状に広がるように設定されてなり、前記胴縁材の厚さが、小なる開口側において大とされ、大なる開口側において小とされてなることを特徴とする木造家屋。
【請求項５】
前記通気凹部が内部にいくに従い開口面積が小さくなりかつ底部が平面部となるように設定されたことを特徴とする請求項４に記載の木造家屋。
【請求項６】
前記通気凹部の両開口の輪郭が円弧形状領域と直線形状領域によって形成される請求項５に記載の木造家屋。
【手続補正２】
【補正対象書類名】明細書
【補正対象項目名】０００８
【補正方法】変更
【補正の内容】
【０００８】
本発明の木造家屋用胴縁材は、骨材で構成される木造家屋骨組の外表面に防風層を付設し、この防風層の外表面に複数の胴縁材を相互に間隔をおいて付設し、この複数の胴縁材の外表面に外壁材を付設した木造家屋用胴縁材において、前記胴縁材の外壁材に当接する表面及び防風層に当接する裏面の少なくとも一方に通気凹部を設け、前記通気凹部は胴縁材の短手方向両側面に開口を有し、前記両側面の開口は一方が他方よりも大なる開口面積を備え、前記通気凹部が小なる開口から大なる開口に向けて放射状に広がるように設定されると共に前記胴縁材の厚さが、小なる開口側において大とされ、大なる開口側において小とされてなることを特徴とする。
【手続補正３】
【補正対象書類名】明細書
【補正対象項目名】０００９
【補正方法】変更
【補正の内容】
【０００９】
本発明の木造家屋は、骨材で構成される木造家屋骨組の外表面に防風層を付設し、この防風層の外表面に複数の胴縁材を間隔を設けて長手方向を水平方向に一致させて配設し、この胴縁材の外表面に外壁材を付設した木造家屋において、前記胴縁材の外壁材に当接する表面及び防風層に当接する裏面の少なくとも一方の面に、胴縁材の短手方向両側面に開口を有し、前記両側面の開口は天井方向側面の開口が地面方向側面の開口よりも大なる通気凹部を設けてなり、前記通気凹部が小なる開口から大なる開口に向けて放射状に広がるように設定されてなり、前記胴縁材の厚さが、小なる開口側において大とされ、大なる開口側において小とされてなることを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１５
【補正方法】変更
【補正の内容】
【００１５】
本発明によれば、より効率よく湿気や外気を拡散させることによって、住宅の結露や湿気を抑え、カビやダニの発生を抑えると共に、快適な住宅の温度・湿度環境の維持を可能とする木造家屋及びその木造家屋に用いる胴縁材を得ることができる。
【手続補正７】
【補正対象書類名】図面
【補正対象項目名】図２
【補正方法】変更
【補正の内容】
【図２】
2011084995.tif 000007